(57)【特許請求の範囲】
【請求項１】
軒先側に位置する第１板部材と外壁側に位置する第２板部材とが通風路を形成するスペーサ部材によって互いに接合されることで一体化されており、少なくとも上記通風路である上記スペーサ部材の入口の側と出口の側にそれぞれ仕切り板が設けられて蛇行形状を成す外気通路が形成されており、上記蛇行形状を成す外気通路の途中に上記スペーサ部材が存在することを特徴とする軒先換気部材。
【請求項２】
請求項１に記載の軒先換気部材において、上記第１板部材は水切板であることを特徴とする軒先換気部材。
【請求項３】
請求項１又は請求項２に記載の軒先換気部材において、上記第１板部材には上記外気通路の側に突き出るように折り曲げられることで上記スペーサ部材と同じ高さ寸法を有し上記第１板部材と第２板部材の間を狭める凸部が形成されており、この凸部に上記スペーサ部材が接合されていることを特徴とする軒先換気部材。
【請求項４】
請求項１〜請求項３のいずれか１項に記載の軒先換気部材において、上記通風路の出口の側には、当該出口に向かって下り傾斜する水返しが設けられていることを特徴とする軒先換気部材。
【請求項５】
請求項１〜請求項４のいずれか１項に記載の軒先換気部材において、上記外気通路に外気を導く外気導入部は当該軒先換気部材の下部側において上記外壁側に向かうように傾斜して形成されていることを特徴とする軒先換気部材。
【請求項６】
請求項５に記載の軒先換気部材において、上記第２板部材の下部側には上記外壁側から上記外気導入部に向かって上り傾斜する整流部が形成されていることを特徴とする軒先換気部材。
【請求項７】
請求項１〜請求項６のいずれか１項に記載の軒先換気部材を備え、この軒先換気部材の下端部に形成された固定片部を外壁の仕上げ面の上端側に位置させて固定したことを特徴とする軒先換気構造。
【発明の詳細な説明】
【技術分野】
【０００１】
この発明は、軒先から外気を導入して軒裏の換気を行うのに用いる軒先換気部材及びこの軒先換気部材を用いた軒先換気構造に関する。
【背景技術】
【０００２】
特許文献１には、軒の短い建物に用いることができる換気構造が開示されている。この換気構造は、軒先材に固定された軒先覆板と、外壁に固定された吹上防止板とからなり、それぞれに水切り片や水返し片が形成されることで蛇行形状の外気通路が形成されたものである。このように、外気通路を蛇行形状に形成することにより、短い軒先に対しても十分に水切りを行って外気を軒裏に導くことが可能になる。
【０００３】
また、特許文献２にも、短い軒先の屋根に利用できる軒先換気金物が開示されている。この軒先換気金物は、軒先側に固定される水切り板と外壁側に固定される水切り板とから成り、それぞれに仕切り壁が互い違いに形成されて蛇行形状の外気通路が形成されたものである。
【先行技術文献】
【特許文献】
【０００４】
【特許文献１】特開平１１−３５０６８１号公報
【特許文献２】実開平５−４２４１３号公報
【発明の概要】
【発明が解決しようとする課題】
【０００５】
しかしながら、上記従来の構造では、軒先側に配置固定される板材と外壁側に配置固定される板材とが別部材であるために、施工現場において、これら板材をそれぞれ家屋に取り付ける作業が必要になる。したがって、この別々の取り付け作業の善し悪しによって上記蛇行形状の外気通路における雨水侵入阻止性能や気流整流性能が影響を受けることになり、当該性能について一定の品質を確保できないおそれがある。
【０００６】
また、上記のごとく別部材とした構造において外壁側に配置される板材をしっかりと固定するためには、この板材の上下方向の長さを長くして取り付け面を大きくする必要が生じる。そうすると、上記特許文献１に示されているように、外壁の上部が上記板材によって大きく隠されてしまうことになり、軒先の意匠性の低下や外壁に配置される換気フード等との干渉といった不利を招来する。また、特許文献２のごとく、外壁の上部において上記板材を挟み込む構造を採用する場合には、構造の複雑化及び取付作業の複雑化を招来する。
【０００７】
この発明は、蛇行形状を成す外気通路の雨水侵入阻止性能や気流整流性能を施工の善し悪しによらずに一定にすることができると共に軒先の意匠性の低下や換気フード等との干渉といった不利を解消し且つ現場での施工を簡単にできる軒先換気部材及び軒先換気構造を提供することを課題とする。
【課題を解決するための手段】
【０００８】
上記の課題を解決するために、この発明の軒先換気部材は、軒先側に位置する第１板部材と外壁側に位置する第２板部材とが通風路を形成するスペーサ部材によって互いに接合されることで一体化されており、少なくとも上記通風路の入口の側と出口の側にそれぞれ仕切り板が設けられて蛇行形状を成す外気通路が形成されていることを特徴とする。
【０００９】
このような構成であれば、上記の第１板部材と第２板部材とが上記スペーサ部材によって一体化されているので、これら第１，第２板部材を施工の現場で接合する必要は無くなり、施工の善し悪しによらずに上記蛇行形状を成す外気通路の雨水侵入阻止性能や気流整流性能を一定にすることができる。更に、このように一体化されると、上記第２板部材は第１板部材によって支持されることになるので、例えば上記第２板部材の下端部を外壁の上部に留めるだけでこの第２板部材をしっかりと支持できることなり、上記外壁の上部をできるだけ隠さないような軒先換気部材の設置を可能にして軒先の意匠性を良好にすることができると共に換気フード等との干渉も回避できるようになる。また、上記のように一体化されていることで、軒先換気部材の現場での施工も簡単になる。
【００１０】
このような軒先換気部材において、上記第１板部材には上記外気通路の側に突き出るように折り曲げられることで上記スペーサ部材と同じ高さ寸法を有する凸部が形成されており、この凸部に上記スペーサ部材が接合されることとしてもよい。かかる構成であれば、上記凸部が上記蛇行形状を成す外気通路の一部として機能すると共に上記凸部形成のために上記第１板部材が用いられているので上記凸部に相当する別部材を設けなくてもよいことになる。
【００１１】
また、このような軒先換気部材において、上記通風路の出口の側には、当該出口に向かって下り傾斜する水返しが設けられているのがよい。かかる構成であれば、外気中の雨水は上記通風路の側へ返され、雨水が軒裏へと進入するのを防止できることになる。
【００１２】
また、このような軒先換気部材において、上記外気通路に外気を導く外気導入部は当該軒先換気部材の下部側に位置し上記外壁側に向かうように傾斜して形成されているのがよい。かかる構成であれば、外壁に向かって吹いてくる風が直接的に上記外気導入部から外気通路内に入ってくるのを防止できる。
【００１３】
上記の軒先換気部材において、上記第２板部材の下部側には上記外壁側から上記外気導入部に向かって上り傾斜する整流部が形成されているのがよい。かかる構成であれば、上記の傾斜形成された外気導入部に外気が上記整流部によって円滑に導かれることになる。
【００１４】
また、この発明の軒先換気構造は、上記の軒先換気部材を備え、この軒先換気部材の下端部に形成された固定片部を外壁の仕上げ面の上端側に位置させて固定したことを特徴とする。かかる構造であれば、上記外壁の仕上げ面の上端が上記軒先換気部材によって隠されることがなくなるので、軒先の意匠性が良好になると共に換気フード等との干渉を回避できるようになる。
【発明の効果】
【００１５】
この発明によれば、第１板部材と第２板部材とがスペーサ部材によって一体化されているので、蛇行形状を成す外気通路の雨水侵入阻止性能や気流整流性能を一定にすることができる。更に、例えば上記第２板部材の下端部を外壁の上部縁に留めるだけでこの第２板部材をしっかりと支持できるので、上記外壁の上部をできるだけ隠さないような軒先換気部材の配置を可能にして軒先の意匠性を良好にすることができると共に換気フード等との干渉を回避できるようになる。また、上記のように一体化されていることで、軒先換気部材の現場での取り付け作業も簡単になる。
【図面の簡単な説明】
【００１６】
【図１】この発明の一実施形態に係る軒先換気部材を備えた軒先構造を示した断面図である。
【図２】図１における軒先換気部材が配置された箇所を拡大して示す断面図である。
【図３】この発明の一実施形態に係る防火ダンパーが一体化された軒先換気部材を備えた軒先構造を示した断面図である。
【図４】図３における軒先換気部材及び防火ダンパーが配置された箇所を拡大して示す断面図である。
【図５】図１においてケラバ破風仕上げを示した説明図である。
【発明を実施するための形態】
【００１７】
以下、この発明の実施の形態を添付図面に基づいて説明する。
図１に示しているように、軒の短い屋根１に鼻隠し２が取り付けられており、この鼻隠し２に雨樋３が釘４によって固定されている。また、屋根１上には屋根瓦５が配置されており、この屋根瓦５は横木６上において所定の傾斜角度を与えられて屋根１に固定されている。
【００１８】
上記鼻隠し２の下方に外壁パネル７が配置されている。この外壁パネル７は、外壁フレーム部７ａと、この外壁フレーム部７ａに取り付けられた外壁下地７ｂと、この外壁下地７ｂに取り付けられた外壁仕上げ板７ｃとから成る。そして、上記鼻隠し２の下端と外壁パネル７の上端側の間に軒先換気部材８が設けられている。
【００１９】
上記軒先換気部材８は、軒先側に位置する第１破風水切板（第１板部材）８１と外壁側に位置する第２破風水切板（第２板部材）８２とが通風路８０ａを形成するスペーサ部材８０により接合されることで一体化されたものである。上記第１破風水切板８１及び第２破風水切板８２は例えば塩化ビニール被覆鋼板から成り、上記スペーサ部材８０は例えば亜鉛メッキされた角筒材から成る。そして、これら第１破風水切板８１、第２破風水切板８２及びスペーサ部材８０は、ビス留めや溶着などにより互いに接合される。また、上記スペーサ部材８０は、この実施形態では、一基準長さ（例えば、９１０ｍｍ）あたり３個配置される。
【００２０】
上記第１破風水切板８１は１枚板で構成されている。この第１破風水切板８１の上端の水切り８１ａは上記雨樋３の上方に位置しており、また、その垂直面部８１ｂは上記雨樋３と鼻隠し２との間に位置している。そして、この垂直面部８１ｂが上記釘４または別の釘等により上記鼻隠し２に固定されている。
【００２１】
また、図２にも示しているように、第１破風水切板８１には、軒先換気部材８の外気通路の側に突き出る凸部８１ｃが曲げ加工により形成されている。この凸部８１ｃの立ち上げ面の高さは上記スペーサ部材８０の高さと同じにしている。更に、上記凸部８１ｃの下方側には曲げ加工により外気導入部８１ｅが形成されている。この外気導入部８１ｅは外壁パネル７側に斜めに立ち上げられており、この外気導入部８１ｅに形成された通気スリット８１ｄは上記外壁パネル７側に向いて斜め下向きに開口する。すなわち、この実施形態では、上記外気導入部８１ｅは軒先換気部材８の下部側に位置し上記外壁パネル７側に向かうように傾斜形成されている。
【００２２】
上記第２破風水切板８２は２枚板で構成されている。この第２破風水切板８２の上端には上側仕切り板８２ａが曲げ加工により形成されている。この上側仕切り板８２ａは、上記スペーサ部材８０における上記通風路８０ａの出口箇所に所定の間隔をあけて対面している。また、上側仕切り板８２ａの付け根部には、上記通風路８０ａの出口箇所に向かって下り傾斜する水返し部８２ｂが曲げ加工により形成されている。更に、上記第２破風水切板８２には下側仕切り板８２ｃが曲げ加工により形成されている。この下側仕切り板８２ｃは、上記スペーサ部材８０における上記通風路８０ａの入口箇所に所定の間隔をあけて対面している。このように、上記通風路８０ａの入口箇所の側と出口箇所の側にそれぞれ仕切り板８２ａ，８２ｃが形成されることで蛇行形状を成す外気通路が形成されている。
【００２３】
また、上記第２破風水切板８２の下端には支持部８２ｄが曲げ加工により形成されている。この支持部８２ｄの先端には固定片部８２ｅが同じく曲げ加工により形成されている。この固定片部８２ｅに螺子釘９が打ち込まれることにより、この固定片部８２ｅが外壁パネル７における外壁仕上げ板７ｃの上端側に位置する外壁下地７ｂに固定される。また、上記支持部８２ｄは第１破風水切板８１における上記外気導入部８１ｅの端部側に接合されている。更に、上記支持部８２ｄには、上記外壁パネル７の側から上記外気導入部８１ｅに向かって上り傾斜する整流部８２ｆが形成されている。この実施形態では、上記外気導入部８１ｅに対する上記整流部８２ｆの配置角度は略９０°としている。
【００２４】
このような軒先換気部材８が設けられた軒天部においては、外気は軒先換気部材８の下部側に位置する外気導入部８１ｅに形成された通気スリット８１ｄを通って軒先換気部材８の外気通路内に入ってくる。ここで、上記外気通路に外気を導く外気導入部８１ｅは軒先換気部材８の下部側に位置し上記外壁パネル７側に向かうように傾斜して形成されているので、上記外壁パネル７に向かって吹いてくる風が直接的に上記外気通路内に入ってくるのを防止できることになる。更に、上記第２破風水切板８２の下部側には上記外壁パネル７側から上記外気導入部８１ｅに向かって上り傾斜する整流部８２ｆが形成されているので、上記外気導入部８１ｅに外気が円滑に導かれる。
【００２５】
そして、上記軒先換気部材８の外気通路内に入った外気は、そのまま上記スペーサ部材８０の側へと吹き上がるのではなく、上記の下側仕切り板８２ｃによって水平方向に分散されることになり、この分散により外気通路を通る外気の速度が減速される。
【００２６】
上記の下側仕切り板８２ｃによって水平方向に分流された外気は、上記第１破風水切板８１の凸部８１ｃにおける下側水平面の下を通り、上記スペーサ部材８０における通風路８０ａの入口箇所へと蛇行しながら進む。このとき、外気に雨水が含まれていたとしても、この雨水は上記凸部８１ｃの下側水平面で返されることになる。
【００２７】
上記通風路８０ａの入口箇所へと進入した外気は、この通風路８０ａの出口箇所を抜けた後に水返し部８２ｂ及び上側仕切り板８２ａに当たるため、外気中の雨水はここでも返されることになる。特に、上記水返し部８２ｂは下向きに傾斜しているため、この水返し部８２ｂに付着した雨水は下方（出口箇所）へと滴下されていくことになる。
【００２８】
上記通風路８０ａの出口箇所を抜けた外気は、上側仕切り板８２ａにより水平方向に流されていき、上記第１破風水切板８１の凸部８１ｃの上側水平面の上を通り、軒裏へと蛇行しながら進むことになる。
【００２９】
このような軒先換気部材８であれば、第１破風水切板８１と第２破風水切板８２とが上記スペーサ部材８０によって一体化されているので、これら第１，第２破風水切板８１，８２を現場施工で接合する必要は無くなり、施工の善し悪しによらずに上記蛇行形状を成す外気通路の雨水侵入阻止性能や気流整流性能を一定にすることができる。更に、このように一体化されると、上記第２破風水切板８２は第１破風水切板８１によって支持されることになるので、第２破風水切板８２の固定片部８２ｅを外壁パネル７の上部側に留めるだけでこの第２破風水切板８２をしっかりと支持できることなり、上記外壁パネル７をできるだけ隠さないような軒先換気部材８の留め付けを可能にして軒先の意匠性を良好にできると共に換気フード等との干渉も回避できるようになる。また、上記のように一体化されていることで、軒先換気部材８の現場での取り付け作業も簡単になる。
【００３０】
図３及び図４は、軒先換気部材８に防火ダンパー１０が一体的に設けられた例を示した軒先の断面図である。この構成例においては、防火ダンパー１０の上部側の固定部１０ａが軒先換気部材８の垂直面部８１ｂに接合されており、防火ダンパー１０の下部側の固定部１０ｂが軒先換気部材８の固定片部８２ｅに接合されている。このように、この発明にかかる軒先換気部材であれば防火ダンパーとの一体化を図ることも容易になる。
【００３１】
また、この発明にかかる軒先換気部材であれば、図５に示すように、軒先換気部材８における凸部８１ｃの上側水平面のラインと、ケラバ破風板１１の仕上げ（下面）ラインを揃えた設計が行える。このような設計を行うことにより、異なる方向から延設されて直交することになる部品同士（軒先換気部材８とケラバ破風板１１）の形状に連続性を持たせることができ、建物の美観が更に向上することになる。なお、上記凸部８１ｃの上側水平面位置は雨樋３の下面位置とほぼ同じ高さに形成されている。
【００３２】
なお、以上の実施形態では、第１破風水切板８１に曲げ加工を行って上記凸部８１ｃを形成したが、第１破風水切板８１を平らな形状とし、上記凸部８１ｃに相当する別部材を設けることも可能である。ただし、上記のごとく曲げ加工で上記凸部８１ｃを形成する場合には、部品数を削減できるという利点がある。
【符号の説明】
【００３３】
１      屋根
２      鼻隠し
３      雨樋
７      外壁パネル
７ａ    外壁フレーム部
７ｂ    外壁下地
７ｃ    外壁仕上げ板
８      軒先換気部材
８０    スペーサ部材
８０ａ  通風路
８１    第１破風水切板
８１ｃ  凸部
８１ｅ  外気導入部
８１ｄ  通気スリット
８２    第２破風水切板
８２ａ  上側仕切り板
８２ｂ  水返し部
８２ｃ  下側仕切り板
８２ｅ  固定片部
１０    防火ダンパー
【図１】
0005789110.tif 000002
【図２】
0005789110.tif 000003
【図３】
0005789110.tif 000004
【図４】
0005789110.tif 000005
【図５】
0005789110.tif 000006